(57)【要約】【課題】  革製品の価値を高めるデザインを提供することを可能にする革刺繍方法及び革刺繍装置、並びにそれによって製造された革製履物、革製身飾品又は革製鞄を提供する。【解決手段】  革地の裏面に下絵パターン５１を描く。描いた下絵パターンに５１応じて紐状革部材を位置させる複数の配置線５３を革地の裏面に描く。複数の配置線の各々の両端付近に紐状革部材を挿通させる複数の挿通孔６３を工具６１で形成する。裏面に描かれた配置線５３に対応する表面に紐状革部材７１が配置されるように挿通孔６３に紐状革部材７１を挿通する。【選択図】図２
2018003166.tif 000002
【特許請求の範囲】
【請求項１】
革地に複数の挿通孔を形成する第１の工程と、
前記革地の表面に所定のパターンで紐状革部材が配置されるように、前記挿通孔に前記紐状革部材を挿通する第２の工程と
を有する革刺繍方法。
【請求項２】
革地の裏面に下絵パターンを描く第３の工程と、
前記下絵パターンに応じて紐状革部材を位置させる複数の配置線を前記裏面に描く第４の工程と
を有し、
前記第１の工程は、前記複数の配置線の各々の両端付近に前記紐状革部材を挿通させる前記挿通孔を形成し、
前記第２の工程は、前記裏面に描かれた前記配置線に対応する表面に前記紐状革部材が配置されるように、前記挿通孔に前記紐状革部材を挿通する
請求項１に記載の革刺繍方法。
【請求項３】
前記第１の工程は、
前記下絵パターンの両サイドの輪郭部分に前記挿通孔を形成する
請求項１又は請求項２に記載の革刺繍方法。
【請求項４】
革地に複数の挿通孔を形成する第１の手段と、
前記革地の表面に所定のパターンで紐状革部材が配置されるように、前記挿通孔に前記紐状革部材を挿通する第２の手段と
を有する革刺繍装置。
【請求項５】
革地の裏面に下絵パターンを描く第３の手段と、
前記下絵パターンに応じて紐状革部材を位置させる複数の配置線を前記裏面に描く第４の手段と
を有し、
前記第１の手段は、前記複数の配置線の各々の両端付近に前記紐状革部材を挿通させる前記挿通孔を形成し、
前記第２の手段は、前記裏面に描かれた前記配置線に対応する表面に前記紐状革部材が配置されるように、前記挿通孔に前記紐状革部材を挿通する
請求項４に記載の革刺繍装置。
【請求項６】
請求項１の革刺繍方法で製造された革製履物、革製身飾品又は革製鞄。
【発明の詳細な説明】
【技術分野】
【０００１】
本発明は、革に刺繍を施す革刺繍方法及び革製履物、革製身飾品、革製鞄に関するものである。
【背景技術】
【０００２】
履物、身飾品及び鞄等の革製品がある。
【発明の概要】
【発明が解決しようとする課題】
【０００３】
近年、革製品には、新たな商品価値及びデザイン価値を創出するデザインが求められている。
【０００４】
本発明はかかる事情に鑑みてなされたものであり、その目的は、革製品の価値を高めるデザインを提供することを可能にする革刺繍方法及び革刺繍装置、並びにそれによって製造された革製履物、革製身飾品又は革製鞄を提供することにある。
【課題を解決するための手段】
【０００５】
本発明の革刺繍方法は、革地に複数の挿通孔を形成する第１の工程と、前記革地の表面に所定のパターンで紐状革部材が配置されるように、前記挿通孔に前記紐状革部材を挿通する第２の工程とを有する。
【０００６】
好適には、革地の裏面に下絵パターンを描く第３の工程と、前記下絵パターンに応じて紐状革部材を位置させる複数の配置線を前記裏面に描く第４の工程とを有し、前記第１の工程は、前記複数の配置線の各々の両端付近に前記紐状革部材を挿通させる前記挿通孔を形成し、前記第２の工程は、前記裏面に描かれた前記配置線に対応する表面に前記紐状革部材が配置されるように、前記挿通孔に前記紐状革部材を挿通する。
【０００７】
好適には、前記第１の工程は、前記下絵パターンの両サイドの輪郭部分に前記挿通孔を形成する。
【０００８】
本発明の革刺繍装置は、革地に複数の挿通孔を形成する第１の手段と、前記革地の表面に所定のパターンで紐状革部材が配置されるように、前記挿通孔に前記紐状革部材を挿通する第２の手段とを有する。
【０００９】
好適には、革地の裏面に下絵パターンを描く第３の手段と、前記下絵パターンに応じて紐状革部材を位置させる複数の配置線を前記裏面に描く第４の手段とを有し、前記第１の手段は、前記複数の配置線の各々の両端付近に前記紐状革部材を挿通させる前記挿通孔を形成し、前記第２の手段は、前記裏面に描かれた前記配置線に対応する表面に前記紐状革部材が配置されるように、前記挿通孔に前記紐状革部材を挿通する。
【００１０】
本発明の革製履物、革製身飾品又は革製鞄は、上述した革刺繍方法で製造されている。
【発明の効果】
【００１１】
本発明によれば、革製品の価値を高めるデザインを提供することを可能にする革刺繍方法及び革刺繍装置、並びにそれによって製造された革製履物、革製身飾品又は革製鞄を提供することができる。
【図面の簡単な説明】
【００１２】
【図１】図１は、本発明の実施形態に係わる革刺繍装置の構成図である。
【図２】図２は、本発明の実施形態に係る革刺繍方法を説明するためのフローチャートである。
【図３】図３は、図２に示すステップＳＴ１を説明するための図である。
【図４】図４は、図２に示すステップＳＴ２を説明するための図である。
【図５】図５は、図２に示すステップＳＴ３を説明するための図である。
【図６】図６は、図２に示すステップＳＴ４を説明するための図である。
【図７】図７は、図２に示すステップＳＴ４の後の状態を説明するための図である。
【発明を実施するための形態】
【００１３】
以下、本発明の実施形態に係る革刺繍方法及び革刺繍装置を説明する。
天然皮革、人工皮革等に刺繍を施すことは、それらの商品価値、デザイン価値を上げるための一手段である。
本実施形態では、革刺繍を通して新しい分野を開拓し、市場を作る。
また、世界に日本文化を現代スタイルで紹介し、日本人に向けて日本文化、価値観の素晴らしさを再認識するアイテムを創出するために役立つ。
【００１４】
図１は、本発明の実施形態に係わる革刺繍装置１の構成図である。
図１に示すように、革刺繍装置１は、例えば、下絵パターン形成部１１、紐状革部材配置線形成部１３、挿通孔形成部１５及び紐状革部材挿通部１７を有する。
【００１５】
図２は、本発明の実施形態に係る革刺繍方法を説明するためのフローチャートである。
なお、以下では、図１に示す革刺繍装置１が実施する場合を例示するが、人が手で実施してもよい。
【００１６】
ステップＳＴ１：
図３に示すように、下絵パターン形成部１１は、革地の裏面に下絵パターン５１を描く。
【００１７】
ステップＳＴ２：
図４に示すように、紐状革部材配置線形成部１３は、ステップＳＴ１で描いた下絵パターンに５１応じて紐状革部材を位置させる複数の配置線５３を革地の裏面に描く。
【００１８】
ステップＳＴ３：
図５に示すように、挿通孔形成部１５は、ステップＳＴ２で描いた複数の配置線の各々の両端付近に紐状革部材を挿通させる複数の挿通孔６３を工具６１で形成する。
このとき、例えば、下絵パターンの両サイドの輪郭部分に挿通孔６３を形成する。
【００１９】
ステップＳＴ４：
図６に示すように、紐状革部材挿通部１７は、ステップＳＴ２で革地の裏面に描かれた配置線５３に対応する表面に紐状革部材７１が配置されるように、ステップＳＴ３で形成した挿通孔６３に紐状革部材７１を挿通する。
ステップＳＴ５：
革地の裏面等において、紐状革部材７１が移動しないように固定する。
【００２０】
本実施形態によれば、革地に紐状革部材７１で刺繍を施すことができ、これまでに無い斬新なデザインを表現できる。
これにより、革製品の価値を高めるデザインを提供することができる。
【００２１】
本実施形態は、革刺繍の靴、小物類等に適用可能である。
また、紐状革部材７１として複数の異なる色の部材を用いてもよい。
【００２２】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【００２３】
本発明は、革製品の製造に適用可能である。
【符号の説明】
【００２４】
１…革刺繍装置
１１…下絵パターン形成部
１３…紐状革部材配置線形成部
１５…挿通孔形成部
１７…紐状革部材挿通部
５１…下絵パターン
５３…配置線
６１…工具
６３…挿通孔
【図１】
2018003166.tif 000003
【図２】
2018003166.tif 000004
【図３】
2018003166.tif 000005
【図４】
2018003166.tif 000006
【図５】
2018003166.tif 000007
【図６】
2018003166.tif 000008
【図７】
2018003166.tif 000009